(57)【特許請求の範囲】
【請求項１】
加飾のための加飾用材料を固定するための固定用インクを棒状部材の外周面にインクジェット印刷する固定用インク印刷ステップと、
前記固定用インク印刷ステップによって前記外周面に印刷された前記固定用インクに前記加飾用材料を接触させることによって前記加飾用材料を前記外周面に固定する加飾用材料固定ステップとを備え、
前記棒状部材の延在方向に直交する、前記外周面の断面は、円形であり、
前記固定用インクは、完全に硬化された状態で表面に粘着性を有する紫外線硬化型のインクであり、
前記固定用インク印刷ステップは、前記固定用インクを完全に硬化させることによって、前記外周面に印刷された前記固定用インクの表面に粘着性を生じさせるステップであることを特徴とする棒状部材加飾方法。
【請求項２】
前記加飾用材料固定ステップによって前記外周面に固定された前記加飾用材料の上層に保護用インクを印刷する保護用インク印刷ステップを備えることを特徴とする請求項１に記載の棒状部材加飾方法。
【請求項３】
前記保護用インク印刷ステップは、前記加飾用材料の上層に前記保護用インクをインクジェット印刷するステップであることを特徴とする請求項２に記載の棒状部材加飾方法。
【発明の詳細な説明】
【技術分野】
【０００１】
本発明は、加飾のための加飾用材料を棒状部材の外周面に固定する棒状部材加飾方法に関する。
【背景技術】
【０００２】
従来、円柱状の立体物の外周面にインクジェットヘッドによって印刷を実行するインクジェットプリンターが知られている（例えば、特許文献１参照。）。
【０００３】
ここで、インクジェットヘッドが吐出可能なインクには混入可能な粒子のサイズなど、厳しい条件が存在するので、インクジェットプリンターは、金粉、セラミックビーズなどの加飾用材料が混入されたインクをインクジェットヘッドによって印刷することができない。
【０００４】
したがって、外周面に加飾用材料が固定された加飾性が高い棒状部材を製造する場合には、例えば、予めスクリーン印刷などの印刷によって加飾用材料が固定されたシートを生成し、このシートを棒状部材の外周面に貼り付ける棒状部材加飾方法を採用することができる。
【先行技術文献】
【特許文献】
【０００５】
【特許文献１】特開２０１４−１００８８０号公報
【発明の概要】
【発明が解決しようとする課題】
【０００６】
しかしながら、従来の棒状部材加飾方法においては、加飾用材料が固定されたシートを棒状部材の外周面に貼り付ける際に、貼り付ける位置精度を十分に確保することができないので、加飾性が高い棒状部材を高品質に製造することが困難であるという問題がある。
【０００７】
そこで、本発明は、加飾性が高い棒状部材を高品質に製造することができる棒状部材加飾方法を提供することを目的とする。
【課題を解決するための手段】
【０００８】
本発明の棒状部材加飾方法は、加飾のための加飾用材料を固定するための固定用インクを棒状部材の外周面にインクジェット印刷する固定用インク印刷ステップと、前記固定用インク印刷ステップによって前記外周面に印刷された前記固定用インクに前記加飾用材料を接触させることによって前記加飾用材料を前記外周面に固定する加飾用材料固定ステップとを備えることを特徴とする。
【０００９】
この構成により、本発明の棒状部材加飾方法は、棒状部材の外周面にインクジェット印刷によって固定用インクを高い位置精度で付着させた後、棒状部材の外周面に印刷された固定用インクに加飾用材料を固定するので、加飾性が高い棒状部材を高品質に製造することができる。
【００１０】
また、本発明の棒状部材加飾方法において、前記固定用インクは、完全に硬化された状態で表面に粘着性を有するインクであっても良い。
【００１１】
この構成により、本発明の棒状部材加飾方法は、棒状部材の外周面に付着された固定用インクを半硬化させるなどの細かい調整が不要であり、棒状部材の外周面に付着された固定用インクを完全に硬化させれば良いので、加飾性が高い棒状部材の製造を容易化することができる。
【００１２】
また、本発明の棒状部材加飾方法において、前記固定用インク印刷ステップは、前記固定用インクを完全には硬化させないことによって、前記外周面に印刷された前記固定用インクの表面に粘着性を生じさせるステップであっても良い。
【００１３】
この構成により、本発明の棒状部材加飾方法は、完全に硬化された状態で表面に粘着性を有するインクのような特殊なインク以外のインクが固定用インクとして使用されることができるので、汎用性を向上することができる。
【００１４】
また、本発明の棒状部材加飾方法は、前記加飾用材料固定ステップによって前記外周面に固定された前記加飾用材料の上層に保護用インクを印刷する保護用インク印刷ステップを備えても良い。
【００１５】
この構成により、本発明の棒状部材加飾方法は、棒状部材の外周面に固定された加飾用材料の上層を保護用インクによって保護するので、高い加飾性を長期間維持することができる棒状部材を製造することができる。
【００１６】
また、本発明の棒状部材加飾方法において、前記保護用インク印刷ステップは、前記加飾用材料の上層に前記保護用インクをインクジェット印刷するステップであっても良い。
【００１７】
この構成により、本発明の棒状部材加飾方法は、固定用インクをインクジェット印刷したインクジェットプリンターと同一のインクジェットプリンターによって保護用インクをインクジェット印刷することができるので、保護用インクの印刷のための設備を新たに設けなくても、高い加飾性を長期間維持することができる棒状部材を製造することができる。
【発明の効果】
【００１８】
本発明の棒状部材加飾方法は、加飾性が高い棒状部材を高品質に製造することができる。
【図面の簡単な説明】
【００１９】
【図１】本発明の一実施の形態に係るインクジェットプリンターを前方左上側から撮影した画像を示す図である。
【図２】図１に示すインクジェットプリンターのキャリッジの周辺の概略構成を示す斜視図である。
【図３】図１に示すインクジェットプリンターのブロック図である。
【図４】本発明の一実施の形態に係る棒状部材加飾方法のフローチャートである。
【図５】（ａ）図４に示す固定用インク印刷ステップによって固定用インクで外周面に印刷された棒状部材の一例の平面図である。  （ｂ）図５（ａ）に示す棒状部材の側面図である。
【図６】（ａ）図４に示す加飾用材料固定ステップによって外周面に加飾材料が固定された棒状部材の一例の平面図である。  （ｂ）図６（ａ）に示す棒状部材の側面図である。
【図７】（ａ）図４に示す保護用インク印刷ステップによって保護用インクで外周面に印刷された棒状部材の一例の平面図である。  （ｂ）図７（ａ）に示す棒状部材の側面図である。
【発明を実施するための形態】
【００２０】
以下、本発明の一実施の形態について、図面を用いて説明する。
【００２１】
まず、本実施の形態に係るインクジェットプリンターの構成について説明する。
【００２２】
図１は、本実施の形態に係るインクジェットプリンター１０を前方左上側から撮影した画像を示す図である。
【００２３】
図１に示すように、インクジェットプリンター１０は、床に設置される脚２０と、矢印１０ａで示す鉛直方向において脚２０の上側に配置されていて脚２０に支持されている本体３０とを備えている。
【００２４】
インクジェットプリンター１０は、中空の棒状部材９０の外周面９０ａの少なくとも一部に印刷を実行する装置である。
【００２５】
棒状部材９０としては、例えば、歩行用の杖、スキー用やウォーキング用のストック、ゴルフのクラブのシャフト、釣竿、カーテンレール、自転車のパイプなど、種々の用途の棒状の部材が採用されることが可能である。
【００２６】
図２は、インクジェットプリンター１０のキャリッジ４２の周辺の概略構成を示す斜視図である。
【００２７】
図２に示すように、本体３０（図１参照。）は、矢印１０ａで示す方向に直交する矢印１０ｂで示す方向に延在しているレール４１と、矢印１０ｂで示す方向に移動可能にレール４１によって支持されているキャリッジ４２と、キャリッジ４２に搭載されている複数のインクジェットヘッド４３と、キャリッジ４２に搭載されていて紫外線を照射する紫外線照射装置４４とを備えている。
【００２８】
インクジェットヘッド４３は、インクを吐出する吐出面４３ａが形成されている。吐出面４３ａは、図示していない多数のノズルによって構成されているノズル列が形成されている。吐出面４３ａは、矢印１０ａで示す鉛直方向に直交していて、鉛直方向における上側から下側に向けてノズルからインクを吐出する面である。なお、ノズル列は、矢印１０ａで示す方向と、矢印１０ｂで示す方向との両方に直交する矢印１０ｃで示す方向に延在している。インクジェットヘッド４３は、レール４１に沿ったキャリッジ４２の移動に伴って矢印１０ｂで示す方向に移動して、矢印１０ｂで示す方向にインクによって印刷を実行可能な装置である。
【００２９】
紫外線照射装置４４は、インクジェットヘッド４３によって吐出させられて棒状部材９０の外周面９０ａに付着した紫外線硬化型のインクに紫外線を照射することによって、棒状部材９０の外周面９０ａ上のインクを硬化させる装置である。
【００３０】
図１に示すように、本体３０は、棒状部材９０を保持する部材保持機構５０を備えている。
【００３１】
部材保持機構５０は、棒状部材９０の延在方向における両端を保持した状態で、棒状部材９０を回転可能に支持している。そして、部材保持機構５０は、ＤＣモーター５１によって棒状部材９０を回転させることが可能である。
【００３２】
図３は、インクジェットプリンター１０のブロック図である。
【００３３】
図３に示すように、インクジェットプリンター１０は、矢印１０ｂ（図１参照。）で示す方向にキャリッジ４２（図２参照。）を移動させるキャリッジ駆動装置６１と、上述の複数のインクジェットヘッド４３と、上述の紫外線照射装置４４と、上述のＤＣモーター５１と、利用者による種々の操作が入力されるボタンなどの入力デバイスである操作部６２と、種々の情報を表示するＬＣＤ（Ｌｉｑｕｉｄ  Ｃｒｙｓｔａｌ  Ｄｉｓｐｌａｙ）などの表示デバイスである表示部６３と、ＰＣ（Ｐｅｒｓｏｎａｌ  Ｃｏｍｐｕｔｅｒ）などの外部の装置と通信を行う通信デバイスである通信部６４と、各種のデータを記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部６５と、インクジェットプリンター１０全体を制御する制御部６６とを備えている。
【００３４】
制御部６６は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部６５に記憶されているプログラムを実行するようになっている。
【００３５】
次に、本実施の形態に係る棒状部材加飾方法について説明する。
【００３６】
図４は、本実施の形態に係る棒状部材加飾方法のフローチャートである。
【００３７】
図４に示すように、本実施の形態に係る棒状部材加飾方法は、加飾のための加飾用材料を固定するための固定用インクを棒状部材９０の外周面９０ａにインクジェット印刷する固定用インク印刷ステップ（Ｓ１０１）と、Ｓ１０１の固定用インク印刷ステップによって外周面９０ａに印刷された固定用インクに加飾用材料を接触させることによって加飾用材料を外周面９０ａに固定する加飾用材料固定ステップ（Ｓ１０２）と、Ｓ１０２の加飾用材料固定ステップによって外周面９０ａに固定された加飾用材料の上層に保護用インクを印刷する保護用インク印刷ステップ（Ｓ１０３）とで構成されている。
【００３８】
まず、Ｓ１０１の固定用インク印刷ステップについて説明する。
【００３９】
固定用インク印刷ステップでは、インクジェットプリンター１０が使用される。
【００４０】
インクジェットプリンター１０の制御部６６は、外部の装置から印刷データが送信されてくると、送信されてきた印刷データに基づいた画像を棒状部材９０の外周面９０ａに印刷する。具体的には、制御部６６は、棒状部材９０の外周面９０ａに対してキャリッジ４２をキャリッジ駆動装置６１によって矢印１０ｂで示す方向に相対移動させながら、インクジェットヘッド４３によって棒状部材９０の外周面９０ａに固定用インクを吐出させるとともに、紫外線照射装置４４による紫外線の照射によって棒状部材９０の外周面９０ａ上の固定用インクを硬化させる。そして、制御部６６は、棒状部材９０の外周面９０ａに対する矢印１０ｂで示す方向への印刷が終了する度に、ＤＣモーター５１によって棒状部材９０を回転させることによって、棒状部材９０の周方向における印刷位置を変更する。
【００４１】
図５（ａ）は、固定用インク印刷ステップによって固定用インクで外周面９０ａに印刷された棒状部材９０の一例の平面図である。図５（ｂ）は、図５（ａ）に示す棒状部材９０の側面図である。
【００４２】
図５に示すように、固定用インク印刷ステップの後、棒状部材９０の外周面９０ａには、固定用インクの層９１が形成されている。
【００４３】
ここで、層９１は、Ｓ１０２の加飾用材料固定ステップにおいて加飾用材料が固定されるために、表面に粘着性を有している必要がある。
【００４４】
完全に硬化された状態で表面に粘着性を有するインクが固定用インクとして使用された場合、インクジェットプリンター１０によって固定用インクで印刷を実行すれば、層９１は表面に粘着性を有する。この構成により、本実施の形態に係る棒状部材加飾方法は、棒状部材９０の外周面９０ａに付着された固定用インクを半硬化させるなどの細かい調整が不要であり、棒状部材９０の外周面９０ａに付着された固定用インクを完全に硬化させれば良いので、加飾性が高い棒状部材９０の製造を容易化することができる。
【００４５】
また、完全に硬化された状態で表面に粘着性を有するインクが固定用インクとして使用されない場合であっても、Ｓ１０１の固定用インク印刷ステップにおいて、固定用インクを完全には硬化させない、すなわち、半硬化させることによって、棒状部材９０の外周面９０ａに印刷された固定用インクの表面に粘着性を生じさせることができる。この構成により、本実施の形態に係る棒状部材加飾方法は、完全に硬化された状態で表面に粘着性を有するインクのような特殊なインク以外のインクが固定用インクとして使用されることができるので、汎用性を向上することができる。
【００４６】
次に、Ｓ１０２の加飾用材料固定ステップについて説明する。
【００４７】
図６（ａ）は、加飾用材料固定ステップによって外周面９０ａに加飾材料が固定された棒状部材９０の一例の平面図である。図６（ｂ）は、図６（ａ）に示す棒状部材９０の側面図である。
【００４８】
例えば、加飾用材料として金粉が使用される場合には、作業者は、棒状部材９０の外周面９０ａ上の固定用インクの層９１の上に金粉を蒔くことによって、層９１の表面の粘着性で金粉を固定させる。図６に示すように、加飾用材料固定ステップの後、棒状部材９０の外周面９０ａ上の固定用インクの層９１の上には、加飾用材料の層９２が形成されている。
【００４９】
なお、加飾用材料としては、金粉などの粉の他、セラミックビーズなどの粒、金箔などの蒸着膜、画像が印刷されたシートなど、様々な材料が採用されることが可能である。例えば、作業者は、加飾用材料として蒸着膜やシートが使用される場合には、棒状部材９０の外周面９０ａ上の固定用インクの層９１の上に加飾用材料を押し付けることによって、層９１の表面の粘着性で加飾用材料を固定させる。
【００５０】
層９１を構成する固定用インクは、Ｓ１０１の固定用インク印刷ステップにおいて半硬化させられている場合、Ｓ１０２の加飾用材料固定ステップの後で本硬化させられても良い。
【００５１】
次に、Ｓ１０３の保護用インク印刷ステップについて説明する。
【００５２】
保護用インク印刷ステップでは、再びインクジェットプリンター１０が使用される。
【００５３】
インクジェットプリンター１０の制御部６６は、外部の装置から印刷データが送信されてくると、送信されてきた印刷データに基づいた画像を棒状部材９０の外周面９０ａに印刷する。具体的には、制御部６６は、棒状部材９０の外周面９０ａに対してキャリッジ４２をキャリッジ駆動装置６１によって矢印１０ｂで示す方向に相対移動させながら、インクジェットヘッド４３によって棒状部材９０の外周面９０ａに保護用インクを吐出させるとともに、紫外線照射装置４４による紫外線の照射によって棒状部材９０の外周面９０ａ上の保護用インクを硬化させる。そして、制御部６６は、棒状部材９０の外周面９０ａに対する矢印１０ｂで示す方向への印刷が終了する度に、ＤＣモーター５１によって棒状部材９０を回転させることによって、棒状部材９０の周方向における印刷位置を変更する。
【００５４】
図７（ａ）は、保護用インク印刷ステップによって保護用インクで外周面９０ａに印刷された棒状部材９０の一例の平面図である。図７（ｂ）は、図７（ａ）に示す棒状部材９０の側面図である。
【００５５】
図７に示すように、保護用インク印刷ステップの後、棒状部材９０の外周面９０ａ上の固定用インクの層９１上の加飾用材料の層９２の上には、保護用インクの層９３が形成されている。
【００５６】
なお、保護用インクとしては、加飾用材料による加飾性を損なわないように、クリアーインクが使用されることが好ましい。
【００５７】
以上に説明したように、本実施の形態に係る棒状部材加飾方法は、棒状部材９０の外周面９０ａにインクジェット印刷によって固定用インクを高い位置精度で付着させた後（Ｓ１０１）、棒状部材９０の外周面９０ａに印刷された固定用インクに加飾用材料を固定する（Ｓ１０２）ので、加飾性が高い棒状部材９０を高品質に製造することができる。
【００５８】
また、本実施の形態に係る棒状部材加飾方法は、棒状部材９０の外周面９０ａに固定された加飾用材料の上層を保護用インクによって保護する（Ｓ１０３）ので、高い加飾性を長期間維持することができる棒状部材９０を製造することができる。
【００５９】
また、本実施の形態に係る棒状部材加飾方法は、保護用インク印刷ステップにおいて、加飾用材料の上層に保護用インクをインクジェット印刷するので、固定用インクをインクジェット印刷したインクジェットプリンター１０と同一のインクジェットプリンター１０によって保護用インクをインクジェット印刷することができる。したがって、本実施の形態に係る棒状部材加飾方法は、保護用インクの印刷のための設備を新たに設けなくても、高い加飾性を長期間維持することができる棒状部材９０を製造することができる。
【００６０】
なお、本実施の形態に係る棒状部材加飾方法は、インクジェット印刷以外の印刷方法によって、加飾用材料の上層に保護用インクを印刷しても良い。
【００６１】
また、本実施の形態に係る棒状部材加飾方法は、保護用インク印刷ステップを省略しても良い。
【符号の説明】
【００６２】
９０  棒状部材
９０ａ  外周面
９１  層（固定用インクの層）
９２  層（加飾用材料の層）
９３  層（保護用インクの層）
【図１】
0006452153.tif 000002
【図２】
0006452153.tif 000003
【図３】
0006452153.tif 000004
【図４】
0006452153.tif 000005
【図５】
0006452153.tif 000006
【図６】
0006452153.tif 000007
【図７】
0006452153.tif 000008